(57)【要約】【課題】  従来の冷暖房施設を備えた植物生理管理装置は、略密閉状態に保管される植物生理管理庫内に、負帯電微細水滴を気流に同伴させて供給する加湿器と、植物に光を照射する光源とが備えた構造で、負帯電微細水滴を、密閉状態の植物生理管理庫に確実に供給し、植物の生育に役立てること、また、加湿装置を外付け構造とし、ハウス内の空間（育成貯留空間）を有効利用できること等を意図する。【構成】  略密閉状態植物養生・育成管理室の天板に付設した加湿装置と、加湿装置の吸込口と、天板の開口をダクトで連通し、加湿装置の吹出口と、ダクトの吸込口を連通して、ダクトに延設される植物養生・育成管理室内に配置したダクト／又は配管の吸込口を開放して、使用済み加湿空気を、ダクトで加湿装置に誘導し、調湿済み加湿空気に変換し、調湿済み加湿空気を、ダクト及び／又は配管の吹出口から植物養生・育成管理室内に満遍なく吹出す植物養生・育成管理装置。【選択図】      図１
2010124758.tif 000002
【特許請求の範囲】
【請求項１】
略密閉状態の植物養生・育成管理室の天板上面に、加湿装置を付設し、この加湿装置に設けた吸込口と、前記植物養生・育成管理室の天板に開設した開口を連通し、また、この加湿装置の吹出口と、ダクトの吸込口を連通し、前記植物養生・育成管理室内の使用済み加湿空気を、前記開口を介して、前記加湿装置に誘導し、この使用済み加湿空気を、調湿済み加湿空気に変換するとともに、この調湿済み加湿空気を、この植物養生・育成管理室内に配置したダクト及び／又は配管の吹出口を介して、この植物養生・育成管理室内に満遍なく吹出す構造とし、前記使用済み加湿空気と、調湿済み加湿空気の一連の流れを確保する構成とした植物養生・育成管理装置。
【請求項２】
略密閉状態の植物養生・育成管理室の天板上面に、加湿装置を付設し、この加湿装置の一個、又は数個の吸込口と、前記植物養生・育成管理室の天板に開設した一個、又は数個の開口を連通し、また、この加湿装置の一個、又は数個の吹出口と、一本、又は数本のダクトの吸込口を連通し、前記植物養生・育成管理室内の使用済み加湿空気を、前記開口を介して、前記加湿装置に誘導し、この使用済み加湿空気を、調湿済み加湿空気に変換するとともに、この調湿済み加湿空気を、この植物養生・育成管理室内に配置した一本、又は数本のダクト及び／又は配管の吹出口を介して、この植物養生・育成管理室内に満遍なく吹出す構成とした植物養生・育成管理装置。
【請求項３】
請求項１、又は請求項２に記載の植物養生・育成管理装置であって、
前記加湿装置を、遠心噴霧装置と、この遠心噴霧装置との間に隙間を設けて囲繞するケーシングで構成し、このケーシングの底部の一個、又は数個の開口部を、この隙間を介して、前記一個、又は数個の吸込口に連通し、この遠心噴霧装置の一個、又は数個の吹出口に、前記一本、又は数本のダクトに連通する構成とした植物養生・育成管理装置。
【請求項４】
請求項１、又は請求項２に記載の植物養生・育成管理装置であって、
前記一本、又は数本のダクトを、前記加湿装置より立設した立上部と、この立上部より折り曲り、かつ略水平方向に延設した略水平部と、この略水平部より折り曲り垂下した垂下部で構成し、この垂下部に一個、又は数個の吹出口を備えた配管を連設する構成とした植物養生・育成管理装置。
【請求項５】
請求項１、又は請求項２に記載の植物養生・育成管理装置であって、
前記一本、又は数本のダクト／又は配管を、植物養生・育成管理室の角隅部及び／又は中間部に配設し、その一個、又は数個の吹出口を、この角隅部及び／又は中間部から内方に向かって開設し、隅部及び／又は中間部から内方に向かって、前記調湿済み加湿空気を供給する構成とした植物養生・育成管理装置。
【請求項６】
請求項１、又は請求項２に記載の植物養生・育成管理装置であって、
前記天板に開設した一個、又は数個の開口を、前記植物養生・育成管理室の略中心部で、かつ天板に開設し、この一個、又は数個の開口を介して、当該植物養生・育成管理室の使用済み加湿空気を、加湿装置の一個、又は数個の吸込口に供給する構成とした植物養生・育成管理装置。
【発明の詳細な説明】
【技術分野】
【０００１】
本発明は、加湿装置を、植物養生・育成管理室外に設置し、この植物養生・育成管理装置の内外のスペースを利用することと、この植物養生・育成管理室内の使用済み加湿空気を効率的に吸込み、この吸込んだ使用済み加湿空気を、調湿済み空気に変換し、この植物養生・育成管理室にリターンする、効率的で、経済的な植物養生・育成管理装置に関する。
【背景技術】
【０００２】
従来、この主の植物養生・育成管理装置は、特開２００１−１６９８１の「接ぎ木苗の養生装置」が広く知られている（文献（１）とする）。この発明は、装置構造体内に養生室と、この養生室を囲繞するように調湿済み加湿空気用の空気循環路を設け、また、この装置構造体内に加湿装置を設ける構造であり、この加湿装置からの調湿済み加湿空気を、空気循環路を介して、養生室の接ぎ木に供給する構造である。この発明は、装置構造体内の空間を利用して、加湿装置をセットする構造であるので、この養生室内部の空間（容積）が少なくなり、接ぎ木の収容数が少なくなることが考えられる。従って、この加湿装置を、装置構造体（植物養生・育成管理室）の外側に設け、この植物養生・育成管理装置及び／又は養生室の容積を有効利用することを意図しない。また、加湿装置を、結露より保護すること、また、この加湿装置から滴下する水滴の取扱に関し、充分な配慮がなされていないこと等の改良点がある。
【０００３】
以上の改良として、特開２００８−１０４３６４の「植物生理管理装置」がある（文献（２）とする）。この発明は、植物等の生体を生理管理する冷暖房施設を備えた植物生理管理装置であり、略密閉状態に保管される植物生理管理庫と、この植物生理管理庫内に、負帯電した微細な水滴（負帯電微細水滴）を気流に同伴させて供給する加湿器と、この植物に光を照射する光源とが備えられている構造である。この発明は、負帯電微細水滴を、密閉状態の植物生理管理庫に確実に供給し、植物の生育に役立てること、また、加湿装置を外付け構造とし、ハウス内の空間（育成貯留空間）を有効利用できること等の特徴がある。
【０００４】
また、特開平８−３７９４４号の「植物育成装置」がある（文献（３）とする）。この発明は、挿し木苗を収容する育成室と、この育成室にダクトを介して外付けした挿し木苗の育成条件に応じた空調空気を送給する空調装置で構成した植物育成装置において、この空調室に、熱交換器と加湿器を収容し、この空調室で生成した温湿度調整済の空気を、育成室に供給する構造であり、挿し木や培養条件から一般条件に変化させる馴化時の植物を育成するために最適な、植物が蒸散をしなくても植物体の温度が維持でき、蒸散を抑制する湿度条件の実現とその環境下での光照射を図りつつ、光照射による温度の上昇と湿度の低下を抑制し、常に低温かつ高湿度の空気を送り込むこと、又は必要により、冷却のエネルギーを供給し、挿し木や培養条件に最適な温湿度調整済の空気を、育成室に供給することを意図する。
【０００５】
さらに、特開平１０−２９５１９８号の「活着促進装置」がある（文献（４）とする）。この発明は、天井の上部の排気室とアクセスフロアの下部の導入室を連結し、かつ断熱パネルで区画された養生室に、空調空気を循環する外付けの空調ユニットを設ける構成であり、この空調ユニットは、そのケーシングの空気吸込側が吸込みダクトを介して排気室と接続し、また、吹出側が吹出しダクトを介して導入室と接続してなり、そして、この空調ユニットには、冷却コイル、電気ヒータ、送風機、並びに加湿器が配置される構造であって、養生室の接ぎ木苗に、空調空気の流れを良好にできる活着促進装置を提供する。
【０００６】
尚、負に帯電した水滴と、植物への影響に関する先行文献としては、特開平８−３０６８９１４号の「高湿度活性空気」における明細書の［０００６］に記載がある（文献（５）とする）。また、特開平７−１１４９７１号の「負イオン発生方法とその装置」における明細書の［０００４］と、［００３５］に記載がある（文献（６）とする）。さらに、特開平２０００−１４０７２８号の「超音波振動水発生方法および超音波振動水供給装置並びに超音波振動水を利用した空気清浄装置」における明細書の［０００４］と、並びに［００２１］と、［００２２］に記載がある（文献（７）とする）。
【０００７】
【特許文献１】特開２００１−１６９８１
【特許文献２】特開２００８−１０４３６４
【特許文献３】特開平８−３７９４４号
【特許文献４】特開平１０−２９５１９８号
【特許文献５】特開平８−３０８９１４号
【特許文献６】特開平７−１１４９７１号
【特許文献７】特開平２０００−１４０７２８号
【発明の開示】
【発明が解決しようとする課題】
【０００８】
文献（２）は、加湿装置を、植物生理管理室に外付けする構造とし、ハウス内の空間を有効利用できる特徴がある。しかし、この発明は、植物生理管理室（植物生理管理庫）の側部外方に、負帯電微細水滴生成用の加湿器を設ける構造であり、この加湿器に向かって、排気ダクトと、吸気ダクトを配備する構造である（明細書の［００６３］）。従って、ハウス、温室等の建屋内の幅方向において、スペースが必要となることから、建屋内の空間を有効利用するに際し、改良点となることが考えられる。また、人の往来の邪魔となることが考えられる。そして、また、作業器具が衝突した場合には、大変、問題となる。
【０００９】
また、文献（３）、（４）は、断熱パネルを介して区画形成された育成室、又は養生室に外付けで、加湿器が配置される空調装置、又は空調ユニットを配備する構造であり、この育成室、又は養生室と、空調装置、又は空調ユニットを、ダクトを介して連通（連繋）する。そして、調温湿した空気を、育成室、又は養生室の挿し木、又は接ぎ木に供給することを特徴とする。しかし、この文献（３）、（４）は、加湿器であり、微細粒子の生成に限界があることと、稼働時間の長期化の際に故障の原因となること等の改良点がある。また、この文献（３）、（４）は、前述した文献（１）と同様な改良点が挙げられる。
【課題を解決するための手段】
【００１０】
請求項１・２の発明は、植物養生・育成管理室の天板に、加湿装置を付設することで、建屋内の空間を有効利用するに際し、人の往来の邪魔とならないこと、また、作業器具が衝突しない装置とすること、又は植物養生・育成管理装置の設置の容易化と、台数の拡充を図ること等を意図する。また、請求項１・２の発明は、植物養生・育成管理室の天板に、加湿装置を付設し、植物養生・育成管理室内の使用済み加湿空気を、加湿装置に確実に誘導し、この加湿装置で調湿済み加湿空気を生成し、この調湿済み加湿空気を、前記植物養生・育成管理室内の接ぎ木に満遍なく供給できる植物養生・育成管理装置を提供する。さらに、請求項１・２の発明は、植物養生・育成管理室内に配置した（一本、又は数本の）ダクト及び／又は配管の一個、又は複数個の吹出口を介して、この植物養生・育成管理室内に満遍なく吹出す構成であり、この植物養生・育成管理室の接ぎ木に、満遍なく、調湿済み加湿空気を提供できることと、この接ぎ木の略均一な生育を図ることを意図する。そして、請求項１・２の発明は、植物養生・育成管理室の天板に、加湿装置を付設することで、この植物養生・育成管理室内のスペースを有効利用すること、また、トレーの取扱い、及び／又は、作業の容易化を図ることを意図する。
【００１１】
請求項１は、略密閉状態の植物養生・育成管理室の天板上面に、加湿装置を付設し、この加湿装置に設けた吸込口と、前記植物養生・育成管理室の天板に開設した開口を連通し、また、この加湿装置の吹出口と、ダクトの吸込口を連通し、前記植物養生・育成管理室内の使用済み加湿空気を、前記開口を介して、前記加湿装置に誘導し、この使用済み加湿空気を、調湿済み加湿空気に変換するとともに、この調湿済み加湿空気を、この植物養生・育成管理室内に配置したダクト及び／又は配管の吹出口を介して、この植物養生・育成管理室内に満遍なく吹出す構造とし、前記使用済み加湿空気と、調湿済み加湿空気の一連の流れを確保する構成とした植物養生・育成管理装置である。
【００１２】
請求項２は、略密閉状態植物養生・育成管理室の天板上面に、加湿装置を付設し、この加湿装置の一個、又は数個の吸込口と、前記植物養生・育成管理室の天板に開設した一個、又は数個の開口を連通し、また、この加湿装置の一個、又は数個の吹出口と、一本、又は数本のダクトの吸込口を連通し、前記植物養生・育成管理室内の使用済み加湿空気を、前記開口を介して、前記加湿装置に誘導し、この使用済み加湿空気を、調湿済み加湿空気に変換するとともに、この調湿済み加湿空気を、この植物養生・育成管理室内に配置した一本、又は数本のダクト及び／又は配管の吹出口を介して、この植物養生・育成管理室内に満遍なく吹出す構成とした植物養生・育成管理装置である。
【００１３】
請求項３の発明は、請求項１、又は請求項２の目的達成すること、また、この目的を達成するに最適な、使用済み加湿空気のルートと、調湿済み加湿空気のルートを確保することを意図する。
【００１４】
請求項３は、請求項１、又は請求項２に記載の植物養生・育成管理装置であって、
前記加湿装置を、遠心噴霧装置と、この遠心噴霧装置との間に隙間を設けて囲繞するケーシングで構成し、このケーシングの底部の一個、又は数個の開口部を、この隙間を介して、前記一個、又は数個の吸込口に連通し、この遠心噴霧装置の一個、又は数個の吹出口に、前記一本、又は数本のダクトに連通する構成とした植物養生・育成管理装置である。
【００１５】
請求項４の発明は、請求項１、又は請求項２の目的達成すること、また、この目的を達成するに最適な、ダクトであり、かつこのダクトの水滴を、加湿装置に戻すことを意図する。
【００１６】
請求項４は、請求項１、又は請求項２に記載の植物養生・育成管理装置であって、
前記一本、又は数本のダクトを、前記加湿装置より立設した立上部と、この立上部より折り曲り、かつ略水平方向に延設した略水平部と、この略水平部より折り曲り垂下した垂下部で構成し、この垂下部に一個、又は数個の吹出口を備えた配管を連設する構成とした植物養生・育成管理装置である。
【００１７】
請求項５の発明は、請求項１、又は請求項２の目的達成すること、また、この目的を達成するに最適な、使用済み加湿空気のルートと、調湿済み加湿空気のルートを確保することを意図する。
【００１８】
請求項５は、請求項１、又は請求項２に記載の植物養生・育成管理装置であって、
前記一本、又は数本のダクト／又は配管を、植物養生・育成管理室の角隅部及び／又は中間部に配設し、その一個、又は数個の吹出口を、この角隅部及び／又は中間部から内方に向かって開設し、角隅部及び／又は中間部から内方に向かって、前記調湿済み加湿空気を供給する構成とした植物養生・育成管理装置である。
【００１９】
請求項６の発明は、請求項１、又は請求項２の目的達成すること、また、この目的を達成するに最適な、使用済み加湿空気のルートと、調湿済み加湿空気のルートを確保できるダクトを提供することを意図する。
【００２０】
請求項６は、請求項１、又は請求項２に記載の植物養生・育成管理装置であって、
前記天板に開設した一個、又は数個の開口を、前記植物養生・育成管理室の略中心部で、かつ天板に開設し、この一個、又は数個の開口を介して、当該植物養生・育成管理室の使用済み加湿空気を、加湿装置の一個、又は数個の吸込口に供給する構成とした植物養生・育成管理装置である。
【発明の効果】
【００２１】
請求項１・２の発明は、略密閉状態植物養生・育成管理室の天板上面に付設した加湿装置と、加湿装置の吸込口と、植物養生・育成管理室の天板の開口をダクトで連通するとともに、加湿装置の吹出口と、ダクトの吸込口を連通して、植物養生・育成管理室内に配置したダクト／又は配管の吸込口を開放する構成とし、使用済み加湿空気を、ダクトを介して、加湿装置に誘導し、調湿済み加湿空気に変換し、調湿済み加湿空気を、ダクト及び／又は配管の吹出口を介して、植物養生・育成管理室内に満遍なく吹出す構成とした植物養生・育成管理装置である。
【００２２】
従って、請求項１・２は、植物養生・育成管理室の天板に、加湿装置を付設することで、建屋内の空間を有効利用できることと、人の往来の邪魔とならないこと、また、作業器具が衝突しない装置となること、又は植物養生・育成管理装置の設置の容易化と、台数の拡充が図れること等の特徴を有する。また、請求項１・２は、植物養生・育成管理室の天板に、加湿装置を付設し、植物養生・育成管理室内の使用済み加湿空気を、加湿装置に確実に誘導し、この加湿装置で調湿済み加湿空気を生成し、この調湿済み加湿空気を、植物養生・育成管理室内の接ぎ木に満遍なく供給できる植物養生・育成管理装置を提供できる。さらに、請求項１・２は、植物養生・育成管理室内に配置した（一本、又は数本の）ダクト及び／又は配管の一個、又は複数個の吹出口を介して、この植物養生・育成管理室内に満遍なく吹出す構成であり、この植物養生・育成管理室の接ぎ木に、満遍なく、調湿済み加湿空気を提供できることと、この接ぎ木の略均一な生育が図れること等の特徴を有する。そして、請求項１・２は、植物養生・育成管理室の天板に、加湿装置を付設することで、この植物養生・育成管理室内のスペースを有効利用が図れること、また、トレーの取扱い、及び／又は、作業の容易化を図ること等の特徴がある。
【００２３】
請求項３の発明は、請求項１、又は請求項２に記載の植物養生・育成管理装置であって、
加湿装置を、遠心噴霧装置と、遠心噴霧装置との間に隙間を設けて囲繞するケーシングで構成し、ケーシングの底部の開口部を、隙間を介して、吸込口に連通し、遠心噴霧装置の吹出口に、ダクトに連通する構成とした植物養生・育成管理装置である。
【００２４】
従って、請求項３は、請求項１、又は請求項２の目的達成できること、また、この目的を達成するに最適な、使用済み加湿空気のルートと、調湿済み加湿空気のルートを確保できること等の特徴を有する。
【００２５】
請求項４の発明は、請求項１、又は請求項２に記載の植物養生・育成管理装置であって、
ダクトを、加湿装置より立設した立上部と、立上部より折り曲り、かつ略水平方向に延設した略水平部と、略水平部より折り曲り垂下した垂下部で構成し、垂下部に吹出口を備えた配管を連設する構成とした植物養生・育成管理装置である。
【００２６】
従って、請求項４は、請求項１、又は請求項２の目的達成できること、また、この目的を達成するに最適な、ダクトであり、かつこのダクト内の水滴を、加湿装置に戻すことができる特徴を有する。
【００２７】
請求項５の発明は、請求項１、又は請求項２に記載の植物養生・育成管理装置であって、
ダクト／又は配管を、植物養生・育成管理室の角隅部に配設し、吹出口を、角隅部から内方に向かって開設し、角隅部から内方に向かって、調湿済み加湿空気を供給する構成とした植物養生・育成管理装置である。
【００２８】
従って、請求項５は、請求項１、又は請求項２の目的達成できること、また、この目的を達成するに最適な、使用済み加湿空気のルートと、調湿済み加湿空気のルートを確保できること等の特徴を有する。
【００２９】
請求項６の発明は、請求項１、又は請求項２に記載の植物養生・育成管理装置であって、
天板に開設した開口を、植物養生・育成管理室の略中心部で、かつ天板に開設した開口を介して、植物養生・育成管理室の使用済み加湿空気を、加湿装置の吸込口に供給する構成とした植物養生・育成管理装置である。
【００３０】
従って、請求項６は、請求項１、又は請求項２の目的達成できること、また、この目的を達成するに最適な、使用済み加湿空気のルートと、調湿済み加湿空気のルートを確保できるダクトを提供できること等の特徴を有する。
【発明を実施するための最良の形態】
【００３１】
本発明の一例を説明する。
【００３２】
図面の説明をすると、図１は、本発明の植物養生・育成管理装置の一部欠截の概念図、図２−１は、図１の植物養生・育成管理装置を組立てる最初の状態を示した模式図、２−２は、植物養生・育成管理装置を組立てる中間の状態を示した模式図、図３は、加湿装置（遠心噴霧装置）の一例を示した一部欠截の拡大模式図、図４−１は、遠心噴霧装置の分解した拡大模式図、図４−２は、遠心噴霧装置の要部を示した拡大断面図、図４−３は、遠心噴霧装置の要部を示した拡大分解斜視図、図５は、本発明の他の遠心噴霧装置の拡大模式図、図６は、本発明の別の植物養生・育成管理装置の概念図である。
【００３３】
図において、１は断熱パネルを内設した鋼材で構成した、略密閉状態で、その内部、又は外の上面（後述する）に、図示しない空調装置を備えた植物養生・育成管理室で、この植物養生・育成管理室１には、扉１０２と、その空間１ａに、接ぎ木載置用のトレー（図示せず）を収容する棚、又は光源等を有する。また、棚を備えた台車が収容できる空間１ａとすることもあり得る。そして、この植物養生・育成管理室１の天板１００の上面１００ａには、一個、又は数個の開口１０１を設ける。この開口１０１は、後述する遠心噴霧装置２を囲繞する略方形状のケーシング３の底部３ａの開口部３００（底部を省略することもある）を介して、このケーシング３の内面３ｂと、遠心噴霧装置２のケース２００の外面２００ａとで形成される隙間５に連通される。従って、この開口１０１を介して、上昇した使用済み加湿空気Ａは、隙間５を介して、遠心噴霧装置２の一個、又は数個の吸込口２０１に到る構造である。尚、この開口１０１（開口部３００）が下面で、その上方に吸込口２０１を設ける構造であるので、使用済み加湿空気Ａの下から上へのスムーズな動きを確保すること、また、余分の水滴を峻別でき、この遠心噴霧装置２に過度の負担を掛けない構造とする。また、この開口１０１の周辺に堤を形成し、ケーシング３内の上面に貯留する水の垂れを防止し、接ぎ木（図示せず）への落下を回避できることと、雑菌の侵入防止と、疫病の発生回避が図れること等の利点がある。そして、この例の如く、ケーシング３に底部３ａを形成した構造では、在来の植物養生・育成管理室１にも簡易に取付け得る利点がある。尚、図示しないが、ケーシング３を、直接、天板２００ｂに設ける構造もできる。
【００３４】
この遠心噴霧装置２の一例を説明すると、ケース２００の天板２００ｂには一個、又は数個の吹出口２０２を設け、この吹出口２０２より調湿済み加湿空気Ｂを吐出する。そして、このケース２００内に設けたモータ２０３の回転軸２０３ａ（出力軸及び／又は回転軸）に固止した回転板２０４を、このケース２００内に間隔をおいて設けるとともに、この回転板２０４の周辺部２０４ａに近接してエリミネータ２０５を設ける（僅かな隙間を持って、エリミネ―タ２０５を設ける）。従って、この回転板２０４に滴下された水を、高速回転を介して、その周辺部２０４ａより放射方向に飛散し、この飛散した微粒子を、エリミネ―タ２０５に衝突させて、超微粒子化する。この超微粒子のみを、吸込口２０１より吸込んだ使用済み加湿空気Ａの流れに乗せることを特徴とし、また、超微粒子以外の、例えば、水粒子を、吹出口２０２に導かない（水粒子を、受け皿２００ｃより、後述する水槽に戻す）構造とする。また、前記回転板２０４の下面には、前記回転軸２０３ａに固止した羽根２０６ａを備えた回転体２０６を設け、この回転体２０６と羽根２０６ａを介して、前記吸込んだ使用済み加湿空気Ａを、矢印「イ」の如く、エリミネ―タ２０５の外側２０５ａから、その内側２０５ｂに向かって導く構造であり、前述の如く、この流れとなる使用済み加湿空気Ａに、超微粒子のみを混合して、調湿済み加湿空気Ｂを生成し、かつ、この調湿済み加湿空気Ｂを、矢印「ロ」の如く、吹出口２０２に導く構造である。その他の構造は、水槽２０７と、この水槽２０７の水を抑揚するポンプ２０８及び／又は回転板２０４の上面に臨む配管２０８ａと、フロート２０９を有する。尚、使用済み加湿空気Ａと、調湿済み加湿空気Ｂの流れを説明すると、吸込口２０１→羽根２０６ａによる誘導→エリミネ―タ２０５の外側２０５ａ→エリミネ―タ２０５の内側２０５ｂ（エリミネ―タ２０５の隙間２０５ｃを通過）→ケース２００の上方（調湿済み加湿空気Ｂに変換）→吹出口２０２の流れとなる。尚、ケース２００は、図示の如く、分割式として、製造、組付け、並びに修理等の容易化、又は合理化等を図ることも可能である。
【００３５】
尚、前記遠心噴霧装置２の吹出口２０２には、ダクト６の吸込口６００が接続されるとともに、このダクト６の排出口６０１は、この例では、植物養生・育成管理室１にセットされた配管７に接続される。そして、図例では、配管７は、この植物養生・育成管理室１の角隅部１０３に設けるが、一例であり、図示しないが、この植物養生・育成管理室１の形状及び／又は容積等により、中間部１０４の壁側、又はその他のスペース等に配管７を設けることもあり得る。所謂、この植物養生・育成管理室１内に満遍なく、調湿済み加湿空気Ｂを供給することを意図する。この一例では、ダクト６に配管７を接続する構造であるが、ダクト６を直接、植物養生・育成管理室１内に配備する構造もできる。そして、この配管７と、ダクト６には、略均等にノズル７００（吹出口）が複数個設けられる。そして、このノズル７００から、図示しない器具と、この遠心噴霧装置２で生成される負イオンに帯電した調湿済み加湿空気Ｂを供給することが望ましい。尚、この配管７を設けた構造では、従来の設備の有効利用と、最適な調湿済み加湿空気Ｂの供給が図れる。また、この配管７等を角隅部１０３に設ける構造では、トレーの取扱いの容易化と、最適な調湿済み加湿空気Ｂの供給が図れること、又はスペースの有効利用が図れること等の特徴がある。
【００３６】
前記ダクト６の好ましい一例を説明すると、このダクト６は、遠心噴霧装置２の吹出口２０２より立設した立上部６０２と、この立上部６０２より折り曲り、かつ略水平方向に延設した略水平部６０３と、この略水平部６０３より折り曲り垂下した垂下部６０４で構成し、この垂下部６０４を配管７に連設する構造であり、水粒子、又は水滴のダクト６からの流れをなくし、適切な調湿済み加湿空気Ｂを供給する。そして、前述した如く、このダクト６の垂下部６０４を、直接、植物養生・育成管理室１内に臨ませることもできる。尚、ノズル７００の噴射口の寸法は、配管７の上方より、下方に向かって、順次、小径から大径とし、植物養生・育成管理室１の空間１ａ内に均等な調湿済み加湿空気Ｂを噴霧する構造とする（ダクト６を延設した構造も同じ）。また、この配管７の底部に水抜き孔を開設する（ダクト６を延設した構造も同じ）。
【００３７】
以上の構造において、使用済み加湿空気Ａと、調湿済み加湿空気Ｂの流れを説明すると、この植物養生・育成管理室１内の使用済み加湿空気Ａは、その天井面から、一個、又は複数個の開口１０１→上方に位置する遠心噴霧装置２の吸込口２０１（この開口１０１と、吸込口２０１との下位置関係を利用し、水粒子、水滴を排除する）→羽根２０６ａによる誘導→エリミネ―タ２０５の外側２０５ａ→エリミネ―タ２０５の内側２０５ｂ（エリミネ―タ２０５の隙間２０５ｃを通過）→ケース２００の上方（調湿済み加湿空気Ｂに変換）→吹出口２０２→ダクト６の吸込口→ダクト６内→配管７→ノズル７００→植物養生・育成管理室１の空間１ａ内に満遍なく吹出しできる。
【００３８】
尚、図５は、他の遠心噴霧装置２を示している。この例は、ケース２００の形状を変更した一例であり、他の構造は前述の例に準ずる。
【００３９】
また、図６は、別の植物養生・育成管理装置の組合せ構造を示した一例であり、他の構造は前述の例に準ずる。また、効率化、合理化、又は装置の有効利用を意図し、例えば、遠心噴霧装置２及び／又はダクト６を、他の植物養生・育成管理室１に共用する構造もあり得る。
【図面の簡単な説明】
【００４０】
【図１】本発明の植物養生・育成管理装置の一部欠截の概念図
【図２−１】図１の植物養生・育成管理装置を組立てる最初の状態を示した模式図
【図２−２】植物養生・育成管理装置を組立てる中間の状態を示した模式図
【図３】加湿装置（遠心噴霧装置）の一例を示した一部欠截の拡大模式図
【図４−１】遠心噴霧装置の分解した拡大模式図
【図４−２】遠心噴霧装置の要部を示した拡大断面図
【図４−３】遠心噴霧装置の要部を示した拡大分解斜視図
【図５】本発明の他の本発明の他の遠心噴霧装置の拡大模式図
【図６】本発明の別の植物養生・育成管理装置の概念図
【符号の説明】
【００４１】
１          植物養生・育成管理装室
１ａ        空間
１００      天板
１００ａ    上面
１０１      開口
１０２      扉
１０３      角隅部
１０４      中間部
２          遠心噴霧装置
２０１      吸込口
２００      ケース
２００ａ    外面
２００ｂ    天板
２００ｃ    受け皿
２０２      吹出口
２０３      モータ
２０３ａ    回転軸
２０４      回転板
２０４ａ    周辺部
２０５      エリミネ―タ
２０５ａ    外側
２０５ｂ    内側
２０５ｃ    隙間
２０６      回転体
２０６ａ    羽根
２０７      水槽
２０８      ポンプ
２０８ａ    配管
２０９      フロート
３          ケーシング
３ａ        底部
３ｂ        内面
３００      開口部
５          隙間
６          ダクト
６００      吸込口
６０１      排出口
６０２      立上部
６０３      略水平部
６０４      垂下部
７          配管
７００      ノズル
【図１】
2010124758.tif 000003
【図２−１】
2010124758.tif 000004
【図２−２】
2010124758.tif 000005
【図３】
2010124758.tif 000006
【図４−１】
2010124758.tif 000007
【図４−２】
2010124758.tif 000008
【図４−３】
2010124758.tif 000009
【図５】
2010124758.tif 000010
【図６】
2010124758.tif 000011